(57)【要約】【課題】  表示装置において、表示データが予めＲＯＭに記憶されていないキャラクタコードに対する表示を可能にする。【解決手段】  表示装置において、キャラクタコードを入力するキャラクタコード入力部と、キャラクタコードに対応する表示データを予め記憶したＲＯＭと、ＲＯＭに記憶されていないキャラクタコードに対応する表示データを入力する表示データ入力部と、表示データ入力部によって入力されたキャラクタコードに対応する表示データを記憶するＲＡＭと、キャラクタコード入力部によって入力されたキャラクタコードに対応してＲＯＭ又はＲＡＭに記憶された表示データを読み出して表示する表示部とを備えた。【選択図】      図１
2008032943.tif 000002
【特許請求の範囲】
【請求項１】
キャラクタコードを入力するキャラクタコード入力部と、キャラクタコードに対応する表示データを予め記憶したＲＯＭと、前記ＲＯＭに記憶されていないキャラクタコードに対応する表示データを入力する表示データ入力部と、前記表示データ入力部によって入力されたキャラクタコードに対応する表示データを記憶するＲＡＭと、前記キャラクタコード入力部によって入力されたキャラクタコードに対応して前記ＲＯＭ又は前記ＲＡＭに記憶された表示データを読み出して表示する表示部とを備えたことを特徴とする表示装置。
【請求項２】
キャラクタコードを入力するキャラクタコード入力部と、キャラクタコードに対応する表示データを予め記憶したＲＯＭと、前記ＲＯＭに記憶されていないキャラクタコードに対応する表示データを入力する表示データ入力部と、前記表示データ入力部によって入力された表示データをキャラクタコードに対応づけて記憶するＲＡＭと、前記キャラクタコード入力部によって入力されたキャラクタコードに対応して前記ＲＯＭ又は前記ＲＡＭに記憶された表示データを読み出して表示する表示部と、前記キャラクタコード入力部によって入力されたキャラクタコードが前記ＲＯＭに記憶されたキャラクタコードでない場合、当該キャラクタコードに対応する表示データの前記表示データ入力部による入力を促す旨を前記表示部に表示させる制御部とを備えたことを特徴とする表示装置。
【発明の詳細な説明】
【技術分野】
【０００１】
本発明は、キャラクタコードに対応する表示データを表示する表示装置に関する。
【背景技術】
【０００２】
キャラクタコード又は文字コードと呼ばれるコードデータに対応して、予めメモリに記憶した表示データを表示部に表示する表示装置がある。
表示の対象とする文字列に表示装置内部で扱う文字コードに含まれない文字コードがある場合、表示装置内部で扱える文字コードに置き換えて表示する文字列表示方法があった（特許文献１参照）。
【０００３】
【特許文献１】特開２００２−２４５０３３号公報
【発明の開示】
【発明が解決しようとする課題】
【０００４】
特許文献１の文字列表示方法は、表示装置内部に予め記憶され処理できる文字コードの範囲内で表示データを表示するものであり、表示装置内部で処理できない文字コードに対応して表示する表示データを新たに記憶し表示することができなかった。
【０００５】
本発明の目的は、表示装置において、キャラクタコード入力部からキャラクタコードに対応する表示データを予め記憶したＲＯＭに記憶されていないキャラクタコードが入力された場合、当該キャラクタコードに対応する表示データを使用者が入力部から入力し表示できるようにすることにある。
【課題を解決するための手段】
【０００６】
本発明の請求項１に記載の表示装置は、キャラクタコードを入力するキャラクタコード入力部と、キャラクタコードに対応する表示データを予め記憶したＲＯＭと、前記ＲＯＭに記憶されていないキャラクタコードに対応する表示データを入力する表示データ入力部と、前記表示データ入力部によって入力されたキャラクタコードに対応する表示データを記憶するＲＡＭと、前記キャラクタコード入力部によって入力されたキャラクタコードに対応して前記ＲＯＭ又は前記ＲＡＭに記憶された表示データを読み出して表示する表示部とを備えたものである。
【０００７】
本発明の請求項２に記載の表示装置は、キャラクタコードを入力するキャラクタコード入力部と、キャラクタコードに対応する表示データを予め記憶したＲＯＭと、前記ＲＯＭに記憶されていないキャラクタコードに対応する表示データを入力する表示データ入力部と、前記表示データ入力部によって入力された表示データをキャラクタコードに対応づけて記憶するＲＡＭと、前記キャラクタコード入力部によって入力されたキャラクタコードに対応して前記ＲＯＭ又は前記ＲＡＭに記憶された表示データを読み出して表示する表示部と、前記キャラクタコード入力部によって入力されたキャラクタコードが前記ＲＯＭに記憶されたキャラクタコードでない場合、当該キャラクタコードに対応する表示データの前記表示データ入力部による入力を促す旨を前記表示部に表示させる制御部とを備えたものである。
【発明の効果】
【０００８】
本発明の表示装置によれば、キャラクタコード入力部からキャラクタコードに対応する表示データを予め記憶したＲＯＭに記憶されていないキャラクタコードが入力された場合、当該キャラクタコードに対応する表示データを使用者が入力部から入力しＲＡＭに記憶させて表示することができる。
【発明を実施するための最良の形態】
【０００９】
図１は、本発明の表示装置の一実施例の構成を示すブロック図である。キャラクタコード入力部１は、表示装置に接続された外部のキャラクタコードを再生する機能を備えた再生装置、又はキャラクタコードを伝送する機能を備えた伝送装置から出力されたキャラクタコードを入力する。キャラクタコードは、上位４ビットと下位４ビットとを組み合わせた１バイトのデータであり、表示データに対応付けて定義される。例えば、１６進数で０ｘ４１であれば、上位４ビットは４であり下位４ビットは１であり、対応するキャラクタは“Ａ”と定義されている。
【００１０】
マイクロコンピュータ(マイコン)２は、キャラクタコード入力部１、表示コントローラ３、外部不揮発メモリ(外部ＲＯＭ(Read Only Memory)）５、及び入力操作部６を制御する。
表示コントローラ３は、マイコン２の制御に基づいて表示部４に表示データを表示させる制御をする。表示コントローラ３は、表示用ＲＯＭ３ａ、表示用ＲＡＭ(Random Access Memory)３ｂを備える。表示用ＲＯＭ３ａは、表示コントローラ３が表示部４に表示させるキャラクタコードに対応する表示データを予め記憶する。表示用ＲＯＭ３ａは、使用頻度の高いキャラクタコードや基本的なキャラクタコード、例えば英数字や使用される国のアルファベット等を製造者が選択して記憶させるが、どのようなキャラクタコードが選択されるかは表示用ＲＯＭ３ａの記憶容量、使用目的等によって異なり、製造者によって決定される。表示用ＲＡＭ３ｂは、後述する外部ＲＯＭ５から読み出される文字コードを記憶する。
【００１１】
表示部４は、表示コントローラ３の制御に基づいて、表示用ＲＯＭ３ａ、表示用ＲＡＭ３ｂに記憶された表示データを読み出し、表示する。表示部４は、例えば、８桁の表示素子を備え、各桁の表示素子は縦８×横５のドットで構成される。
外部ＲＯＭ５は、表示用ＲＯＭ３ａに記憶された、例えば英数字やアルファベット等のキャラクタコード以外のキャラクタコード（例えばカナ文字や記号等）に対応する表示データを予め記憶する。外部ＲＯＭ５に記憶するキャラクタコードは、表示用ＲＯＭ３ａに記憶されていないキャラクタコード全てが対象となるが、どのようなキャラクタコードを選択して外部ＲＯＭ５に記憶させるかは外部ＲＯＭ５の記憶容量、使用目的等によって異なり、製造者によって決定される。
【００１２】
マイコン２は、キャラクタコード入力部１からマイコン２に入力されたキャラクタコードが表示用ＲＯＭ３ａに対応表示データが記憶されているキャラクタコードであるか否かを判別する。マイコン２が判別した結果、キャラクタコード入力部１から入力されたキャラクタコードが、表示用ＲＯＭ３ａに対応表示データが記憶されているキャラクタコードであれば、表示コントローラ３は、表示用ＲＯＭ３ａから当該キャラクタコードに対応する表示データを表示部４に出力し表示させる。
マイコン２が判別した結果、キャラクタコード入力部１から入力されたキャラクタコードが、表示用ＲＯＭ３ａに対応表示データが記憶されているキャラクタコードでなければ、マイコン２は、外部ＲＯＭ５から当該キャラクタコードに対応する表示データを読み出し表示用ＲＡＭ３ｂに記憶させ、表示コントローラ３は、表示用ＲＡＭ３ｂから当該キャラクタコードに対応する表示データを表示部４に出力し表示させる。
【００１３】
入力操作部６は、マイコン２が外部ＲＯＭ５から読み出して表示用ＲＡＭ３ｂに記憶する表示データを選択するための選択入力キーを備える。入力操作部６は、キャラクタコードと表示データの対応の設定に関する入力をするため、表示データ入力部６ａの入力キーを備える。
キャラクタコード入力部１からマイコン２に入力されたキャラクタコードをマイコン２が判別し、判別した結果、当該キャラクタコードが表示用ＲＯＭ３ａ及び外部ＲＯＭ５に対応表示データが記憶されていないキャラクタコードであれば、マイコン２は表示コントローラ３を制御して、表示データの入力を促す旨のメッセージ及び当該キャラクタコードを表示部４に表示させ、表示データ入力部６ａの入力待機状態とする。
【００１４】
表示データ入力部６ａの入力キーを操作することによって、使用者は、表示用ＲＯＭ３ａ及び外部ＲＯＭ５に記憶されていないキャラクタコードに対応する表示データを入力する。表示部４の縦８×横５のドットの表示素子に対応し、各々のドットについて、表示部４に表示されるドット位置ごとに、点灯させる場合は０の値を、点灯させない場合は１の値を、表示データ入力部６ａの入力キーによって入力し、表示データ入力部６ａの入力キーによって表示部４に表示されるドット位置を順次切り換えて、縦８×横５のドットの表示素子の全ドット位置に点灯させる（入力値＝０）か否（入力値＝１）かを入力することによって、表示データを決定する。表示データは、マイコン２によって表示用ＲＡＭ３ｂに記憶される。
【図面の簡単な説明】
【００１５】
【図１】本発明の表示装置の一実施例の構成を示すブロック図である。
【符号の説明】
【００１６】
１  キャラクタコード入力部
２  マイコン
３  表示コントローラ
３ａ  表示用ＲＯＭ
３ｂ  表示用ＲＡＭ
４  表示部
５  外部ＲＯＭ
６  入力操作部
６ａ  表示データ入力部
【図１】
2008032943.tif 000003